(57)【要約】      （修正有）【課題】踵部をより包み込んだ形状にできる編成方法を提供する。【解決手段】紙面右側となる甲側のウェール方向の編目が紙面左側となる足裏側のウェール方向の編目より少なくなるように両針床間でＣ字状に折り返して編成しながら、引き返し端部１０，１１，１２と引き返し中間部１３ａ，１３ｂ，１３ｃで構成される引き返し部を複数回形成する。そして、引き返し端部１１，１２でも同様に引き返し編成を行う。その際、本体部領域αのａ−ｂのウエール方向に連続して引き返し端部１０のｂ−ｃを編成し、本体部領域αと引き返し端部１０を接合する。また、引き返し端部１０のｃ−ｄのウエール方向に連続して引き返し端部１１のｄ−ｅを編成し、引き返し端部１０と引き返し端部１１とを接合する。そして、引き返し端部１１のｅ−ｆのウエール方向に連続して引き返し端部１２のｆ−ｇを編成し、引き返し端部１１と引き返し端部１２とを接合する。【選択図】図３
2016083110.tif 000002
【特許請求の範囲】
【請求項１】
少なくとも前後一対の針床を備える横編機を用いて、着用者の甲側の部分を覆うインステップカバー部と、着用者の足裏を覆うソールカバー部と、を備えるシューズアッパーの編成方法において、
前記シューズアッパーは、前後針床に配置され、爪先側または履き口側から編成し、前記シューズアッパーの踵部を、甲側のウェール方向の編目が足裏側のウェール方向の編目より少なくなるように両針床間でＣ字状に折り返して編成し、引き返し端部と引き返し中間部で構成される引き返し部を複数回形成することを特徴とするシューズアッパーの編成方法。
【請求項２】
前記踵部の引き返し部の編幅が、前記インステップカバー部と前記ソールカバー部の編幅と同一幅で編成することを特徴とする請求項１に記載のシューズアッパーの編成方法。
【請求項３】
前記インステップカバー部のうち、着用者のアキレス腱を覆うヒールカバー部を形成する引き返し中間部は、爪先側から履き口側に向かって編成する場合は、前記左右の引き返し端部間に位置する２つの引き返し中間部の中央に位置する複数の編目からなる編目群を、引き返し中間部の中央から離れた方向に移動させることで編目を減少させる減らし編成とニット編成、または、引き返し端部と引き返し中間部を引き返し中間部の中央方向に移動させることで編目を減少させる減らし編成とニット編成を交互に行い、
履き口側から爪先側に向かって編成する場合は、前記引き返し中間部の中央に位置する複数の編目からなる編目群を、引き返し中間部の中央方向に移動させることで編目を増加させる増やし編成とニット編成、または、引き返し端部と引き返し中間部を引き返し中間部の中央から離れた方向に移動させることで編目を増加させる増やし編成とニット編成を交互に行い、編目を減少または増加し編成することを特徴とする請求項１または請求項２に記載のシューズアッパーの編成方法。
【発明の詳細な説明】
【技術分野】
【０００１】
本発明は、シューズアッパーの編成方法に関する。
【背景技術】
【０００２】
横編機を用いて、シューズを編成することが行われている。シューズアッパーは、着用者の足裏を覆うソールカバー部と、着用者の甲側の部分を覆うインステップカバー部と、を無縫製で一体に編成されている。そのシューズアッパーの踵部は、例えば、特許文献１のように、履き口から編成する場合は、履き口の一部の編目のウエール方向に続いて複数の編目列を編成し構成されている。
【先行技術文献】
【特許文献】
【０００３】
【特許文献１】国際公開第２０１４／１２９０６８号
【発明の概要】
【発明が解決しようとする課題】
【０００４】
しかし、特許文献１の編成方法以外でもシューズアッパーの踵部の形成は可能である。本発明は、特許文献１とは異なるアプローチによりシューズアッパーの踵部の形成する上で、踵部をより包み込んだ形状にできる編成方法を提供することを目的とする。
【課題を解決するための手段】
【０００５】
本発明は、少なくとも前後一対の針床を備える横編機を用いて、着用者の甲側の部分を覆うインステップカバー部と、着用者の足裏を覆うソールカバー部と、を備えるシューズアッパーの編成方法において、
前記シューズアッパーは、横編機の一方の針床と他方の針床に配置され、爪先側または履き口側から編成し、前記シューズアッパーの踵部を、甲側のウェール方向の編目が足裏側のウェール方向の編目より少なくなるように両針床間でＣ字状に折り返して編成し、引き返し端部と引き返し中間部で構成される引き返し部を複数回形成することを特徴とする。
【０００６】
また、本発明では、前記踵部の引き返し部の編幅が、前記インステップカバー部と前記ソールカバー部の編幅と同一幅で編成することを特徴とする。
【０００７】
また、本発明では、前記インステップカバー部のうち、着用者のアキレス腱を覆うヒールカバー部を形成する引き返し中間部は、爪先側から履き口側に向かって編成する場合は、前記左右の引き返し端部間に位置する２つの引き返し中間部の中央に位置する複数の編目からなる編目群を、引き返し中間部の中央から離れた方向に移動させることで編目を減少させる減らし編成とニット編成、または、引き返し端部と引き返し中間部を引き返し中間部の中央方向に移動させることで編目を減少させる減らし編成とニット編成を交互に行い、
履き口側から爪先側に向かって編成する場合は、前記引き返し中間部の中央に位置する複数の編目からなる編目群を、引き返し中間部の中央方向に移動させることで編目を増加させる増やし編成とニット編成、または、引き返し端部と引き返し中間部を引き返し中間部の中央から離れた方向に移動させることで編目を増加させる増やし編成とニット編成を交互に行い、編目を減少または増加し編成することを特徴とする。
【発明の効果】
【０００８】
本発明のシューズアッパーの編成方法によれば、踵部を前後両針床間でＣ字状に折り返して編成する引き返し編成を用い、引き返し部を複数回形成していくことで、滑らかな曲面が形成でき、踵部を包み込んだ形状が形成できる。つまり、引き返し端部の形状の大きさを夫々変更することで、足にフィットする踵部が容易に形成できる。
【０００９】
本発明のシューズアッパーの編成方法によれば、引き返し部の編幅を、インステップカバー部とソールカバー部の編幅と同一幅で編成することで、甲側と履き口爪先側端の段差を少なくできる。これにより、履き口にゴム糸を挿入して編成した場合に、伸縮方向が一定に近づき、着用者の足首にフィットする。
【００１０】
本発明のシューズアッパーの編成方法によれば、引き返し編成により形成する着用者のアキレス腱を覆う部分にあたるヒールカバー部を、爪先側から履き口側に向かって編成する場合に減らしで、履き口側から爪先側に向かって編成する場合に増やしで編成することで、踵部が履き口に向けてよりカーブした形状にできる。これにより、着用者にフィットさせ、脱げにくい形状にできる。
【図面の簡単な説明】
【００１１】
【図１】実施形態１に示すシューズアッパーの右側面の概略図である。
【図２】実施形態１に示すシューズアッパーの概略下面斜視図である。
【図３】実施形態１のシューズアッパーにおける踵部の編成工程を模式的に示す編成工程図である。
【発明を実施するための形態】
【００１２】
以下、本発明のシューズアッパー１の編成方法の実施形態を図に基づいて説明する。実施形態では、前後に対向する針床を備え、これらの針床間で編目の目移しが可能な２枚ベッド横編機を用いた。もちろん、使用する横編機は、２枚ベッド横編機に限定されるわけではなく、例えば４枚ベッド横編機であっても良い。
【００１３】
≪シューズアッパー≫  
図１はシューズアッパー１の右側面の概略図であって、シューズアッパー１の右側部分Ｒを示す図である。右側部分Ｒを前針床に、図には現れない左側部分Ｌを後針床に配置し、爪先側から履き口５側に向けて、インステップカバー部３とソールカバー部２とを無縫製で一体に編成する。図１で示すシューズアッパー１の本体部領域αは、爪先から履き口５爪先側端までを示す。また、踵部領域βは、本体部領域αの編成に続いて引き返し編成を複数回行い、順次形成された引き返し端部１０，１１，１２の編目同士の接合により形成されたゴアライン３０，３１，３２、ヒールカバー部４と履き口５を示す。
【００１４】
図２は本実施形態のシューズアッパー１の概略下面斜視図である。踵部６は、踵部領域βの履き口５を除いた部分であり、具体的には、引き返し端部１０，２０，１１，２１，１２，２２と引き返し中間部１３ａ，１４ａ，１３ｂ，１４ｂ，１３ｃ，１４ｃで構成される引き返し部とヒールカバー部４を示す。また、踵部６は、インステップカバー部３とソールカバー部２の両方に属する。そして、夫々の引き返し中間部１３ａ，１４ａ，１３ｂ，１４ｂ，１３ｃ，１４ｃは、左右の引き返し端部１０，２０，１１，２１，１２，２２間に位置している。
【００１５】
図３は、シューズアッパー１における踵部領域βの編成工程を模式的に示す編成工程図である。主に図２で示すシューズアッパー１の右側部分Ｒの踵部領域βを示したものである。また、シューズアッパー１の左側部分Ｌは、図３の紙面奥側に配置されていて、図には現れないがシューズアッパー１の右側部分Ｒと左側部分Ｌが、ソールカバー部２側で繋がっている。図２で示す引き返し端部２０，２１，２２は、図３において紙面奥側で編成されたシューズアッパー１の左側部分Ｌの編地であり、右側部分Ｒの引き返し端部１０，１１，１２と同時に同様の手順に従って編成された編地である。左側部分Ｌは、右側部分Ｒと同様の編成により編成されるので、その説明は省略する。
【００１６】
なお、シューズアッパー１を構成する編組織は特に限定されず、例えば、天竺組織やメッシュ組織、リブ組織、あるいはこれらの混合組織などであっても構わない。また、履き口５または爪先側のどちらの方向からでも編成できる。また、シューズアッパー１の右側部分Ｒを前針床に、左側部分Ｌを後針床に分けて配置しているが、その配置から９０度回転させて左側部分Ｌと右側部分Ｒの両方を前後針床に配置した状態でＣ字状に折り返して編成することもできる。
【００１７】
≪編成手順≫
本体部領域αについては、まず、針床上に編出し部を形成し、その編み出し部に続いて筒状編成で爪先側から踵部領域βに向かって編成していく。続いて、踵部領域βを形成するには、まず、図３で示すように、紙面右側となる甲側のウェール方向の編目が紙面左側となる足裏側のウェール方向の編目より少なくなるように両針床間でＣ字状に折り返して編成しながら、引き返し端部１０，２０，１１，２１，１２，２２と引き返し中間部１３ａ，１４ａ，１３ｂ，１４ｂ，１３ｃ，１４ｃで構成される引き返し部を複数回形成する。具体的には、シューズアッパー１の右側部分Ｒの場合、引き返し端部１０のｂ−ｃ間でコース方向の編目数を増加させ、引き返し端部１０のｃ−ｄ間でコース方向の編目数を減少させ引き返し編成を行っていく。そして、引き返し端部１１，１２でも同様に引き返し編成を行う。その際、本体部領域αのａ−ｂのウエール方向に連続して引き返し端部１０のｂ−ｃを編成し、本体部領域αと引き返し端部１０を接合する。また、引き返し端部１０のｃ−ｄのウエール方向に連続して引き返し端部１１のｄ−ｅを編成し、引き返し端部１０と引き返し端部１１とを接合する。そして、引き返し端部１１のｅ−ｆのウエール方向に連続して引き返し端部１２のｆ−ｇを編成し、引き返し端部１１と引き返し端部１２とを接合する。その結果、図１および図２で示すゴアライン３０，３１，３２が形成される。また、引き返し中間部１３ａ，１３ｂ，１３ｃも、引き返し端部１０，１１，１２の形成と同時にそれぞれウエール方向に履き口５に向かって編成される。
【００１８】
なお、シューズアッパー１の右側部分Ｒと左側部分Ｌが、ソールカバー部２側で繋がっているため、図３には現れない左側部分Ｌである引き返し中間部１４ａ，１４ｂ，１４ｃと引き返し端部２０，２１，２２で構成しゴアライン４０，４１，４２が形成された引き返し部も、右側部分Ｒと同時に同様の手順で編成する。つまり、両針床間でＣ字状に折り返して編成しているため、１０→１３ａ→１４ａ→２０→２０→１４ａ→１３ａ→１０と編成し、他も同様に行う。これにより、引き返し中間部１３ａ，１３ｂ，１３ｃ、１４ａ，１４ｂ，１４ｃおよび左右の引き返し端部１０，１１，１２、２０，２１，２２で構成する引き返し部が形成される。このように、引き返し部を複数回形成していくことで、滑らかな曲面が形成でき、踵部６を包み込んだ形状にできる。つまり、引き返し端部の形状の大きさを夫々変更することで、足にフィットする踵部が容易に形成できる。
【００１９】
また、引き返し部の編幅が、インステップカバー部３とソールカバー部２の編幅と同一幅で編成する。具体的には、図３で示す引き返し端部１０，１１，１２のｂ−ｃ，ｄ−ｅ，ｆ−ｇの編幅とインステップカバー部３とソールカバー部２にあたる本体部領域αのａ−ｂが同一編幅になるように編成する。すなわち、引き返し端部１０，１１，１２のｃ，ｅ，ｇと本体部領域αのａが同一直線に並ぶよう編成する。これにより、甲側と履き口５爪先側端の段差を少なくできる。これにより、履き口５にゴム糸を挿入して編成した場合に、伸縮方向が一定に近づき、着用者の足首にフィットする。なお、引き返し端部１０，１１，１２の編幅と本体部領域αの編幅が同一幅でなくても編成することはできる。
【００２０】
そして、図３で示す着用者のアキレス腱を覆う部分であるヒールカバー部４は、シューズアッパー１の右側部分Ｒを横編機の前針床に、左側部分Ｌを後針床に配置し、爪先側から履き口５に向かって編成する本実施例の場合、引き返し中間部１３ｃにおいて、２つの引き返し中間部１３ｃ，１４ｃの中央の複数の編目からなる編目群４ａを、引き返し中間部１３ｃの中央から離れた方向に移動させることで編目を減少させる内減らし編成とニット編成を引き返し中間部１３ｃのｉ−ｊに間で行う。また、履き口５側から爪先側に向かって編成する場合は、引き返し中間部１３ｃにおいて、引き返し中間部１３ｃの中央の複数の編目からなる編目群４ａを、引き返し中間部１３ｃの中央方向に移動させることで編目を増加させる内増やし編成とニット編成を引き返し中間部１３ｃのｉ−ｊの間で行う。
【００２１】
また、シューズアッパー１の左側部分Ｌと右側部分Ｒの両方を前後針床に配置し、爪先側から履き口５に向かって編成する場合、引き返し端部１２，２２と引き返し中間部１３ｃ，１４ｃを中央方向に移動させることで編目を減少させる内減らし編成とニット編成を交互に行って編成する。また、履き口５側から爪先側に向かって編成する場合は、引き返し端部１２，２２と引き返し中間部１３ｃ，１４ｃを中央から離れた方向に移動させることで編目を増加させる内増やし編成とニット編成を交互に行い、編目を減少または増加し編成する。なお、図３で図示されないシューズアッパー１の左側部分Ｌにおいても同様の編成が行なわれているため、図２で示す引き返し端部２２、引き返し中間部１４ｃ、編目群４ｂでも同様の手順で編成される。なお、前述の内減らし編成および内増やし編成は、外減らし編成および外増やし編成でもできる。
【００２２】
引き返し端部１０，２０，１１，２１，１２，２２と引き返し中間部１３ａ，１４ａ，１３ｂ，１４ｂ，１３ｃ，１４ｃで構成される引き返し部の編成が終了した時点で、符号ａ，ｃ，ｅ，ｇは一つに繋がり、この繋がった部分を中心にして、引き返し部が周状に並ぶ。なお、図３で図示されないシューズアッパー１の左側部分Ｌにおいても、右側部分Ｒと同時に同様の編成が行なわれている。これにより、引き返し端部１０，２０，１１，２１，１２，２２と引き返し中間部１３ａ，１４ａ，１３ｂ，１４ｂ，１３ｃ，１４ｃで構成される引き返し部およびヒールカバー部４により踵部６が形成される。また、引き返し端部１０，１１，１２、２０，２１，２２を形成後、履き口５を周回状に編成して、引き返し端部１２のｇ−ｈと履き口５が繋がることで、シューズアッパー１の編成は完了する。
【符号の説明】
【００２３】
１    シューズアッパー
２    ソールカバー部
３    インステップカバー部
４    ヒールカバー部
４ａ，４ｂ  編目群    
５    履き口
６    踵部
１０，１１，１２，２０，２１，２２  引き返し端部
１３ａ，１３ｂ，１３ｃ，１４ａ，１４ｂ，１４ｃ  引き返し中間部
３０，３１，３２，４０，４１，４２  ゴアライン  
【図１】
2016083110.tif 000003
【図２】
2016083110.tif 000004
【図３】
2016083110.tif 000005